(57)【特許請求の範囲】
【請求項１】
映像信号または音声信号の複写の許諾に関する情報がディジタル化された映像信号または音声信号に重畳されて生成された映像データまたは音声データが誤り訂正のための誤り訂正符号が付加され、更に記録媒体に適した変調則に従って変調されて記録された媒体から、映像データまたは音声データを再生する装置であって、
前記変調則に従った変調されたデータを復調する復調回路と、
前記復調回路によって復調された復調済データに対し、前記誤り訂正符号により誤り訂正処理を行なう誤り訂正回路と、
前記誤り訂正回路により誤り訂正処理済のデータから、映像データまたは音声データに電子透かしとして重畳された複写の許諾に関する情報を再生する回路と、
媒体の種別を識別する回路と、
再生された複写の許諾に関する情報が１回のみ複写が許可であり、且つ識別結果が再生専用媒体を示した場合に再生を停止させる回路と、
停止理由を示す映像データもしくは音声データを出力する手段を備えたことを特徴とする映像データまたは音声データの再生装置。
【請求項２】
重畳された映像信号または音声信号の複写の許諾に関する情報は、改ざんすると画質または音質の劣化が生じることを特徴とする請求項１記載の映像データまたは音声データの再生装置。
【請求項３】
映像信号または音声信号の複写の許諾に関する情報がディジタル化された映像信号または音声信号に重畳されて生成された映像データまたは音声データが誤り訂正のための誤り訂正符号が付加され、更に記録媒体に適した変調則に従って変調されて記録された媒体から、映像データまたは音声データを再生する方法であって、
前記変調則に従った変調されたデータを復調する復調処理と、
復調された復調済データに対し、前記誤り訂正符号により誤り訂正処理を行なう誤り訂正処理と、
前記誤り訂正処理済のデータから、映像データまたは音声データに重畳された複写の許諾に関する情報を再生する処理と、
媒体の種別を識別する処理と、
再生された複写の許諾に関する情報が１回のみ複写が許可であり、且つ識別結果が再生専用媒体を示した場合に再生を停止させる処理と、
停止理由を示す映像データもしくは音声データを出力する処理を備えたことを特徴とする映像データまたは音声データの再生方法。
【請求項４】
映像信号または音声信号の複写許諾に関する情報のディジタル化された映像信号または音声信号への重畳は電子透かしであることを特徴とする請求項３記載の映像データまたは音声データの再生方法。
【発明の詳細な説明】
【技術分野】
【０００１】
本発明は、光学式記憶媒体等のメディアに記録された再生装置に係り、特にメディアに記録された信号の著作権保護を可能とする技術に関する。
【背景技術】
【０００２】
ＭＰＥＧ２を用いて圧縮したＡＶ信号を記録するＤＶＤは、ＡＶ信号をディジタルデータとして取り扱う事から、品質の劣化なくＡＶ信号を複写する事ができるという問題があった。
【０００３】
これに対しては、非特許文献１記載の様に、複写に関し許可、禁止、1世代のみの許可等の情報をユーザーに検知できないように重畳させる電子透かしの技術が紹介されている。前記の技術では検出された信号に従って、アナログ出力に対し複写防止処理を施す方法などが記載されている。
【０００４】
しかしながら、放送などに１回のみ複写を許可するメディアが存在した場合、ＤＶＤ−Ｒディスク（１回記録可能）などに複写された後、ＤＶＤ−ＲディスクからＤＶＤ−ＲＯＭに複製された海賊版ディスクにたいし、各ユーザーのプレーヤの再生を制限する事により、著作権保護を行うことに関しては、考慮されていない。
【０００５】
【非特許文献１】日経エレクトロニクス（1997.2.24  99p−123P）
【発明の開示】
【発明が解決しようとする課題】
【０００６】
本発明の課題は、映像データまたは音声データに重畳された複写の許諾に関する情報と、媒体の種別の組み合わせから不正に作成された媒体と判別された場合に再生を停止させることにある。放送などで１回のみ複写が許可された場合、ＤＶＤ−Ｒディスク（１回記録可能）、ＤＶＤ−ＲＡＭディスク（書き換え可能）などに記録された後、ＤＶＤ−ＲＯＭに違法に複写されて作成された海賊版ディスクにたいし、一般ユーザーが所持するＤＶＤ−ＲＯＭ／Ｒ／ＲＡＭの各ディスクを再生可能なプレーヤでの再生を停止させる手段を構築することにある。
【課題を解決するための手段】
【０００７】
上記課題を解決するため、本発明の映像データまたは音声データの再生装置は、映像信号または音声信号の複写の許諾に関する情報がディジタル化された映像信号または音声信号に重畳されて生成された映像データまたは音声データが記録された媒体から、映像データまたは音声データを再生する装置であって、映像データまたは音声データに重畳された複写の許諾に関する情報を再生する回路と、媒体の種別を識別する回路と、再生された前記複写の許諾に関する情報と、識別された媒体の種別の組み合わせから不正に作成された媒体と判別された場合に再生を停止させる回路を備えたことを特徴とする。
さらに映像信号または音声信号の複写の許諾に関する情報がディジタル化された映像信号または音声信号へ電子透かしとして重畳されていることを特徴とする。本来、放送などで１回のみ複写が許可された場合、１回だけ複写を認める情報は記録できないＤＶＤ−ＲＯＭディスクには存在しない。即ち、１世代のみコピーを許可する情報は、ＤＶＤ−ＲＯＭでは映像データから検出する事はできないはずである。１回のみ複写を認める放送などの媒体からＤＶＤ−Ｒ／ＲＡＭなどの記録可能な媒体に記録した後、ＤＶＤ−ＲＯＭに複写して海賊版を作成した場合は、ＤＶＤ−ＲＯＭにも関わらず、映像データから１世代のみコピーを許可する情報が検出される。ＤＶＤ−ＲかＤＶＤ−ＲＡＭかＤＶＤ−ＲＯＭかを識別する手段と、映像データから電子透かしとして重畳されている複写の許諾に関する情報を検出する手段と、ＤＶＤ−ＲＯＭで有りかつ１世代コピーを認める情報が検出された場合は、ディスクの再生を禁止する。
【発明の効果】
【０００８】
以上、本発明によれば、映像データまたは音声データに重畳された複写の許諾に関する情報と、媒体の種別の組み合わせから不正に作成された媒体と判別された場合に再生を停止させることができる。映像信号に重畳された複写許諾情報が１世代コピー許可を示し、かつＤＶＤ−ＲＯＭであると判定された場合に、再生を禁止する事で、１世代コピー許可された映像もしくは音声データをＤＶＤ−Ｒ／ＲＡＭにいったん記録したのちＤＶＤ−ＲＯＭに違法に複写されたディスクの再生を禁止することができる。
【発明を実施するための最良の形態】
【０００９】
本発明の第1の実施例を図面を用いて説明する。
【００１０】
図１は、本発明の１実施例であるＤＶＤ再生装置のブロック図を示す。１０１は映像データ等が記録されたＤＶＤ−ＲＯＭディスクまたはＤＶＤ−ＲディスクまたはＤＶＤ−ＲＡＭディスクである。なお、本実施例に於いては、前記各ディスクには、複製許諾情報が重畳されている映像データまたは、音声データが記録されている事と、重畳されている複写許諾情報は元の映像データまたは音声データの品質を著しく落とさずには変更できない事、映像データまたは音声データには、更にディスクの識別コード（再生専用ディスクか否かを識別できるコード）が付加されていることを前提とする。ディスク１０２はディスク１０１より信号を検出する光ピックアップ、１０２は光ピックアップで検出された信号に対し、増幅、波形等価等を行うプリアンプ、１０４は再生された信号を２値化するとともに、ビット同期、復調を行う復調手段、１０５は復調された再生データが一時的に貯えられるＲＡＭ、１０６は復調されてＲＡＭ１０５に貯えられたデータに対し誤り訂正処理を行う誤り訂正手段、１０７は映像データ等と共にディスクに記録されたディスクの識別コードを検出する手段、１０８は映像データから重畳されている複製許諾情報を検出する検出する手段、１０９は検出された識別コードと、複製許諾情報よりディスク再生停止信号１１４を生成する手段、誤り訂正手段１０６はディスク再生停止信号１１４が発生した場合は、データを訂正せずに逆に破壊すると同時に、訂正不能フラグ１１８を発生する。１１０は、再生不能を示す映像データ（文字、イラスト等）もしくは音声信号を生成するメッセージ情報生成手段、１１１はディスク再生停止信に従って、１０５に貯えられた訂正処理済みのデータもしくは１１０からのメッセージ情報を選択する選択手段であり、１１２は選択回路１１１からのデータの出力を行う為のタイミング制御などを執り行う出力制御手段、１１３はデータ出力端子、１１５はマイコンとのインターフェース、１２１は、１０４、１０５、１０６、１０７、１０８、１０９、１１０、１１１、１１２、１１４、１１５の各要素より構成される信号処理１２０を制御するマイクロコントローラである。
【００１１】
本ＤＶＤ再生装置でのディスクの再生を以下に説明する。
【００１２】
ディスク１０１に記録された信号は、ピックアップ１０２で電気信号に変換された後、プリアンプ１０３で増幅、波形等価が行われた後、復調手段１０４にて、再生された信号の２値化、ビット同期、復調が行われる。復調された再生データはいったんＲＡＭ１０５に貯えられる。貯えられたデータに対しては誤り訂正手段１０６にて誤り訂正処理を行う。訂正された再生データは複製許諾情報検出手段１０８に送られる。複製許諾情報検出手段１０８は再生データから重畳されている複製許諾情報を検出する。複製許諾情報は記録されているデータが下記のどのタイプのデータかを示す。１）複製可  ２）複製禁止  ３）１世代のみ複製許可  検出された情報はディスク再生禁止信号生成手段１０９に送られる。ディスク識別コード検出手段は映像データまたは音声データに付加されたディスク識別コードを検出し、ディスク再生停止信号生成手段１０９に結果をおくる。ディスク識別コードは、１）再生専用ディスク  ２）記録可能ディスクの識別を行う。ディスク再生禁止信号生成手段１０９は、複製許諾情報が１世代のみ複製許可でありかつディスク識別コードが再生専用ディスクと判定された場合には、ディスク再生停止信号１１４をアクティブとする。  ディスク再生停止信号１１４がアクティブとなると、誤り訂正手段１０６はＲＡＭに貯えられている再生データを破壊するとともにマイクロコントローラ１１５にデータ訂正不能のフラグを送る。メッセージ情報生成手段１１０は、ディスク再生停止信号１１４がアクティブとなると、複写許諾の違反により再生を停止した事を示す映像もしくは音声のメッセージデータを生成する。前記メッセージ情報は、著作権管理団体の連絡先（電話番号、住所等）を含めてもよい。メッセージ情報の生成は生成されたデータを貯えておくＲＯＭ等でも構わない。選択回路１１１は通常は、ＲＡＭから読み出される再生データを選択し、ディスク再生停止信号１１４がアクティブのときは、メッセージ情報生成手段１１０からのメッセージ情報を選択する。
【００１３】
以上、本実施例によれば放送からの１世代のみ複製許可の映像信号または音声信号をいったんＤＶＤ−ＲＡＭもしくはＤＶＤ−Ｒに記録した後、ＤＶＤ−ＲもしくはＤＶＤ−ＲＡＭをベースにＤＶＤ−ＲＯＭに複製した海賊版ディスクの再生を禁止させる事ができる。
【００１４】
また、メッセージ信号を出力する事で、ユーザーが再生装置の故障やディスクの傷などでなく、著作権上の問題によるものであることを認知してもらう事ができる。また、著作権の管理団体への連絡先を表示することで、海賊版作成者の特定を行う為の情報をユーザーから集める事ができる。また、１１６を単一の半導体チップとした場合、著作権違反の場合にデータの破壊も行っている為、マイクロコントローラのソフトウエアを改ざんし訂正不能フラグを無視するようにしたとしても、データは破壊されているので、読み出す事はできない。また、ディスク再生停止信号生成手段１０９におけるディスク再生停止信号１１４をアクティブにする条件を複製許諾情報が１世代のみ複製許可でありかつディスク識別コードが再生専用ディスクと判定された場合、もしくは複製許諾情報が複製禁止でありかつ識別コードが記録可能ディスクと判定された場合とすると複製禁止のディスクを違法に記録したＤＶＤ−Ｒ／ＲＡＭの再生も防ぐ事ができる。従って、本実施例によれば著作権の保護が十分に行える再生装置を提供できる。
【００１５】
本発明の第２の実施例を図面を用いて説明する。
【００１６】
図２は第２の実施例であるＤＶＤ再生装置のブロック図である。
【００１７】
本実施例で再生するディスク１０１はＤＶＤ−ＲＯＭまたはＤＶＤ−ＲまたはＤＶＤ−ＲＡＭを対象としており、そのうちＤＶＤ−ＲＡＭ／Ｒは溝状のトラックがウォブリングされている。従って、トラッキングのためのプッシュプル信号はウォブルによって変調を受ける。このウォブルは記録時にトラッキングを行うために必要で有り、再生専用ディスクには存在しない。
【００１８】
本実施例は以下の3点以外は第１の実施例と同一である。１）ウォブル検出手段１１６を設けた事。２）プリアンプ１０３にプッシュプル信号の端子を設けウォブル検出手段１１６に接続した点。３）ディスク再生停止信号停止手段１０９がウォブル検出手段１１６でウォブル無しと判定されるかもしくはディスク識別コード検出手段１０７で再生専用ディスクと判定され、同時に複製許諾情報検出手段１０８で１世代複製許可と判定された時に、ディスク再生停止信号をアクティブとする点。
【００１９】
本実施例では、第１の実施例と同様にデータが再生されると同時にウォブルの検出をウォブルの検出手段１１６で行う。ディスク再生停止信号停止手段１０９は、ウォブル検出手段１１６、ディスク識別コード検出手段１０７の何れかで再生専用ディスクと判定され、同時に複製許諾情報検出手段１０８で１世代複製許可と判定された時に、ディスク再生停止信号をアクティブとする。従って、ディスク識別コードを書き換えられても、確実に再生を禁止する。
【００２０】
以上、本実施例によれば放送からの１世代のみ複製許可の映像信号または音声信号をいったんＤＶＤ−ＲＡＭもしくはＤＶＤ−Ｒに記録した後、ＤＶＤ−ＲもしくはＤＶＤ−ＲＡＭをベースにＤＶＤ−ＲＯＭに複製した海賊版ディスクの再生を禁止させる事ができる。本実施例では、再生専用ディスクであるという条件をウォブルがないもしくは識別コードが再生専用ディスクであるの何れかとする事により、海賊版の検出を確実に行うようにしているが、識別コードが再生専用ディスクであることを判定条件から除いても実施例１と同様の効果が得られる。
【００２１】
本発明の第３の実施例を図面を用いて説明する。
【００２２】
図３は第３の実施例であるＤＶＤ再生装置のブロック図である。
【００２３】
本実施例は以下の3点以外は第１の実施例と同一である。１）反射率識別回路１１７を設けた事。２）プリアンプ１０３反射率の情報を出力する端子を設け反射率識別回路１１７に接続した点。３）ディスク再生停止信号停止手段１０９が、反射率識別手段１１７、、ウォブル検出手段１１６、ディスク識別コード検出手段１０７の何れかで再生専用ディスクと判定され、同時に複製許諾情報検出手段１０８で１世代複製許可と判定された時に、ディスク再生停止信号をアクティブとする点。
【００２４】
本実施例では、第２の実施例と同様にデータが再生されると同時にプリアンプ１０３から反射率情報を反射率検出手段１１７に送り、反射率識別手段は、反射率の大小にしきい値を設けしきい値以上のものを再生専用ディスクと識別する。ディスク再生停止信号停止手段１０９は、反射率識別手段１１７、ウォブル検出手段１１６、ディスク識別コード検出手段１０７の何れかで再生専用ディスクと判定され、同時に複製許諾情報検出手段１０８で１世代複製許可と判定された時に、ディスク再生停止信号をアクティブとする。
【００２５】
従って、ディスク識別コードを書き換えられても、確実に再生を禁止する。本実施例では、再生専用ディスクであるという条件を反射率、ウォブルの有無、識別コードが再生専用ディスクであるの何れかとする事により、海賊版の検出を確実に行うようにしているが、再生専用ディスクと判定する条件を３条件のうちの何れか２条件を判定条件とし２条件が同時に成立した場合、３条件のうちの何れか２条件を判定条件とし何れかが成立した場合、もしくは１条件を判定条件とした場合でも実施例１と同様の効果が得られる。
【００２６】
本発明の第４の実施例を図面を用いて説明する。
【００２７】
図４は第４の実施例であるＤＶＤ再生装置のブロック図である。
【００２８】
本実施例は、メッセージ情報生成手段１１０の出力を選択回路１１１に出力し、選択回路１１１の出力を出力制御手段１１２に入力するかわりに、メッセージ情報生成手段１１０の出力をＲＡＭライトコントローラ１１９を通してＲＡＭ１０５に書き込む点以外は第３の実施例と共通である。本実施例では、ディスク再生停止信号１１４がアクティブとなった場合、本来出力するべき映像データまたは音声データの上に上書きすることで、第2の実施例のごとく、メッセージ情報生成手段１１０の出力を選択回路１１１に出力し、選択回路１１１の出力を出力制御手段１１２に入力すると同等の効果を得る。
【００２９】
また、第１〜４の実施例においては、ユーザーへのメッセージ情報を再生装置内で生成しているが、ディスク再生停止情報１１４を出力する端子を設け、ディスク再生停止情報１１４を映像データの表示装置、音声の出力装置、圧縮された映像データまたは音声データの伸長装置等に送り、送られた側の装置でメッセージ情報を生成しても同等の効果が得られる。
【図面の簡単な説明】
【００３０】
【図１】本発明の第１の実施例であるＤＶＤ再生装置のブロック図。
【図２】本発明の第２の実施例であるＤＶＤ再生装置のブロック図。
【図３】本発明の第３の実施例であるＤＶＤ再生装置のブロック図。
【図４】本発明の第４の実施例であるＤＶＤ再生装置のブロック図。
【符号の説明】
【００３１】
１０１…記憶媒体、１０２…ピックアップ、１０３…プリアンプ、１０４…復調手段、１０５…ＲＡＭ、１０６…誤り訂正手段、１０７…ディスク識別コード検出手段、１０８…複製許諾情報検出手段、１０９…ディスク再生停止信号生成手段、１１０…メッセージ情報生成手段、１１６…ウォブル検出手段、１１７…反射率識別回路、１１９…ＲＡＭライトコントローラ
【図１】
0004207071.tif 000002
【図２】
0004207071.tif 000003
【図３】
0004207071.tif 000004
【図４】
0004207071.tif 000005